(57)【要約】      （修正有）【課題】コンテナの組み立て作業や内部に収納品を入れる作業が楽に行え、作業中に側面パネルが倒れず、側面パネルを折り畳む際にも、２枚一組の側面パネルを、それぞれ偏平に重ねて折り畳め、嵩を少なくし、運搬時や保管時によりコンパクト化するコンテナ用側面パネルの折り畳み構造を提供する。【解決手段】パレット上に、４枚の側面パネル２ａ，２ｂ，２ａ′，２ｂ′と、蓋体とによって収納空間を形成する組み立て式のコンテナで、該側面パネルのうち、隣接する２枚の側面パネルの一端側を、ヒンジ４にて折り畳み自在に軸着し、他端側には、一方は、断面形状がコ字状の凹溝体５を、端面の全長に渡り設け、且つ、該凹溝体５の開口部が、折り畳み方向に向けて設け、他方は、前記凹溝体に挿入するための凸状柱体６を他端全長に渡って設けた，２枚組側面パネルＹ，Ｙ′を２組設け、これら２枚組側面パネルを、一方側の凹溝体に、他方側の凸状柱体をそれぞれ嵌入することにより組み立て、上面に蓋体を被冠する。【選択図】図３
0003164698.tif 000002
【実用新案登録請求の範囲】
【請求項１】
搬送可能なパレットと、該パレット上に、４数の側面パネルを矩形状に組み立て、かつ、蓋体によって収納空間（Ｘ）を形成する組み立て式のコンテナにおいて、
パレット（１）上に組み立てられる４枚の側面パネル（２ａ）（２ｂ）（２ａ′）（２ｂ′）のうち、隣接する２枚の側面パネル（２ａ）（２ｂ）及び２枚の側面パネル（２ａ′）（２ｂ′）のそれぞれ一端側を、ヒンジ（４）にて両側面パネル（２ａ）（２ｂ），両側面パネル（２ａ′）（２ｂ′）をそれぞれ折り畳み自在に軸着し、
これら側面パネル（２ａ）（２ａ′）のそれぞれの他端側には、一方には、断面形状がコ字状の凹溝体（５）を、端面の全長に渡り設け、且つ、該凹溝体（５）の開口部（５ａ）が、折り畳み方向に向けて設け、他方には、前記凹溝体（５）に挿入するための凸状柱体（６）を他端全長に渡って設けた，２枚組側面パネルを２組設け、
これら２枚組側面パネル（Ｙ）（Ｙ′）を、一方側の凹溝体（５）に、他方側の凸状柱体（６）をそれぞれ嵌入することにより、矩形に組み立て、その上面には、
蓋体（３）を、被冠して固定することを特徴とする
組み立て式のコンテナにおける側面パネルの折り畳み構造。
【請求項２】
２枚組側面パネル（Ｙ）の一方の側面パネルに装着した一時固定ベルト（７）において、組み立て時には、他の２枚組側面パネル（Ｙ′）に設けた固定ベルトと圧着し、取り外し時には、２枚組側面パネルのうち、これらパネルの開口側を閉じるように、隣接の側面パネルに設けた固定ベルトに圧着して固定することを特徴とする請求項１記載の組み立て式のコンテナにおける側面パネルの折り畳み構造。                  
【考案の詳細な説明】
【技術分野】
【０００１】
この考案は、組み立て式のコンテナにおける側面パネルの折り畳み構造に関するものである。
【背景技術】
【０００２】
従来、この種の折り畳み式組立コンテナは、パレット上に底板を固定し、この底板に４枚の側面パネルがそれぞれ起立・倒伏可能に底部付近に枢着された構造となっており、必要時には、組み立て、また、不要時には側面パネルを折り畳み、コンテナの底板に折り重ねて収まるよう構成することにより、不要時の保管スペースを小さくすることができるコンテナが存在している。例えば、特許文献１のように。
【０００３】
そして、この発明のコンテナは、従来品のように、一々、側面パネルを一枚・一枚組み立てたりせず、底部に折り畳まれた４枚の側面パネルを倒立自在に起立・倒伏させるさせることにより、組み立て作業が軽減されるものであった。
【０００４】
しかしながら、このコンテナにおいても、使用時に組み立てたり、使用後には、組み立てたコンテナを取り外して元に戻し、パレット上に、側面パネル４枚とこれに蓋を載置し、出来るだけコンパクトに収まる構造にする必要があった。
【０００５】
また、コンテナを組み立てる際、側面パネルのすべてを起立させ、四周を囲ってしてしまうと、内部に収納品を入れる際には、側面パネルの上から挿入して底部に載置しなければならず、軽量の収納品であれば問題はないが、重量物である場合には、その作業が煩雑であり、作業効率も悪いものでった。
【０００６】
これに対して、４枚の側面パネルのうち、相対向する２枚の側面パネルを底板と枢着して倒立自在に起立・倒伏させる構造のものも存在した。しかし、収納品を入れる作業中には、２枚の側面パネルが内方向に倒れないように側面パネルの上部を固定する必要があっり、作業性の悪いものであった。例えば、特許文献２のように。
【先行技術文献】
【特許文献】
【０００７】
【特許文献１】特許第４３４１１８９号公報
【特許文献２】実開昭５９−０７２９号公報
【考案の概要】
【考案が解決しようとする課題】
【０００８】
そこで、この考案が解決しようとする問題点は、コンテナの組み立て作業が、従来品よりも楽であって、コンテナ内部に収納品を入れる作業も、楽に行え、さらに、作業中に側面パネルが倒れることのなく、また、側面パネルを折り畳む際にも、２枚一組の側面パネルを、それぞれ偏平に重ねて折り畳め、一時固定ベルトで固定しておくことができ、嵩を少なくでき、運搬時や保管時により多くの組み立て式のコンテナが収納でき、便利な組み立て式のコンテナにおける側面パネルの折り畳み構造を開発することにある。
【課題を解決するための手段】
【０００９】
この考案による課題を解決するための手段としては、コンテナにおいて、隣接する４枚の側面パネルのうち、２組の側面パネルを水平方向にヒンジで枢着した２枚組側面パネルを二組設け、先ず、水平方向に折り畳まれた一組の２枚組側面パネルを、コンテナ上に拡げ、次に、残りの，折り畳まれた一組の２枚組側面パネルを拡げ、該側面パネルの凹溝体を、先の一組の２枚組側面パネルの凸状柱体に嵌め込み、他の側面パネルの凸状柱体を先の２枚組側面パネルの凹溝体に差し込むことにより、堅牢に固定して２組の２枚組側面パネルで矩形に形成し、これら側面パネルに蓋体を被冠するものであり、コンテナ内に収納品を入れてから残りの一組の２枚組側面パネルを組み立てることにより、収納作業が簡単であり、さらに、コンテナを取り外して元に戻す際、２組の側面パネルを偏平に折り畳むことが出来るよう構成し、コンテナをコンパクトにすると共に折り畳み作業を省力化できる構造としたものである。
【考案の効果】
【００１０】
この考案によると、コンテナを囲う４枚の側面パネルのうち、隣接する側面パネルを予めヒンジで折り畳み自在に連結して、２組の２枚組側面パネルとしており、これをコンテナ上に倒・立自在にセットし、残り１組の２枚組側面パネルの部分が開放されているため、積込み作業時に、この開放部を使ってコンテナ内部に収納品を入れ易く、収納作業も簡単である等の効果を奏する。
【００１１】
また、コンテナを囲う４枚の側面パネルのうち、２組の２枚組側面パネルをそれぞれ折り畳み可能に形成されていることにより、組み立て式のコンテナを組み立てる場合、元に戻す作業にも、側面パネルを一枚・一枚組み立てたり、元に戻す必要がなく、その作業が省力的に行えるいう効果を奏する。
【００１２】
さらに、２組の２枚組側面パネルにそれぞれ凹溝体と凸状柱体を形成したため、一方の２枚組側面パネルの凹溝体に、他方の凸状柱体を差し込み、他方の凹溝体に、一方の凸状柱体を差し込むことにより、凹溝体も凸状柱体も側面パネルの全長に渡って設けているため、２組の２枚組側面パネルを、極めて堅牢に着脱可能に連結できるものである。
【００１３】
また、２組の２枚組側面パネルを、それぞれ取り外して元に戻す場合には、２枚組側面パネルを折り畳んだ際、偏平に折り畳み、一時固定ベルトで固定することが出来、コンテナの嵩を、よりコンパクトに、かつ安全に収めることが出来るいう極めて有益なる効果を奏する。
【図面の簡単な説明】
【００１４】
【図１】この考案の一実施例を示し、（Ａ）は、組み立て式のコンテナの一の２枚組側面パネルの開いた状態を示す一部欠截平面図である。（Ｂ）は、組み立て式のコンテナの一の２枚組側面パネルの閉じた状態を示す一部欠截平面図である。
【図２】この考案の一実施例を示し、（Ａ）は、組み立て式のコンテナの一の２枚組側面パネルの閉じた状態を示す一部欠截平面図である。（Ｂ）は、この考案の一実施例を示し、凸状柱体の一部欠截平面図であり、（Ｃ）は、この考案の一実施例を示し、凹溝体の一部欠截平面図であり、（Ｄ）は、組み立て式のコンテナの他の２枚組側面パネルの開いた状態を示す一部欠截平面図である。
【図３】この考案の一実施例を示し、組み立て式のコンテナの側面パネルを組み立てた状態を示す一部欠截平面図である。
【図４】この考案の一実施例を示し、組み立て式のコンテナの側面パネルの組み立て状態を示す説明図である。
【考案を実施するための形態】
【００１５】
この考案は、組み立て式のコンテナにおいて、搬送可能なパレット（１）と、該パレット上に、収納部（Ｘ）を形成するよう４枚の側面パネルのうち、隣接する２枚の側面パネルから２枚組側面パネル（Ｙ）（Ｙ′）を２組設け、これら隣接する２枚の側面パネルはヒンジ（４）で連結し、折り畳んだ際に２枚組側面パネルがそれぞれ偏平に折り畳むよう構成したものである。
【実施例】
【００１６】
この考案の一実施例を図に基づいて詳細に説明すると、搬送可能なパレットと、該パレット上に、４数の側面パネルを矩形状に組み立て、かつ、蓋体によって収納空間（Ｘ）を形成する組み立て式のコンテナにおいて、パレット（１）上に組み立てられる４枚の側面パネル（２ａ）（２ｂ）（２ａ′）（２ｂ′）のうち、隣接する２枚の側面パネル（２ａ）（２ｂ），及び２枚の側面パネル（２ａ′）（２ｂ′）のそれぞれ一端側を、ヒンジ（４）にて両側面パネル（２ａ）（２ｂ），両側面パネル（２ａ′）（２ｂ′）をそれぞれ折り畳み自在に軸着し、これら側面パネル（２ａ）（２ａ′）のそれぞれの他端側には、一方には、断面形状がコ字状の凹溝体（５）を、端面の全長に渡り設け、且つ、該凹溝体（５）の開口部（５ａ）が、折り畳み方向に向けて設け、他方には、前記凹溝体（５）に挿入するための凸状柱体（６）を他端全長に渡って設けた，２枚組側面パネルを２組設け、これら２枚組側面パネル（Ｙ）（Ｙ′）を、一方側の凹溝体（５）に、他方側の凸状柱体（６）をそれぞれ嵌入することにより、矩形に組み立て、その上面には、蓋体（３）を、被冠して固定することを特徴とする組み立て式のコンテナにおける側面パネルの折り畳み構造から構成されるものである。
【００１７】
尚、２枚組側面パネル（Ｙ）（Ｙ′）には、それぞれ一時固定ベルト（７）を設けており、組み立て時には、それぞれ、２枚組側面パネル（Ｙ′）（Ｙ）の側面パネルと一時固定しておき、また、取り外し時には、２枚組側面パネル（Ｙ′およびＹ）の側面パネル（２ａ）（２ｂ）を折り畳み、折り畳んだ開口側を該一時固定ベルト（７）で固定して、両側面パネル，例えば、側面パネル（２ａ）と側面パネル（２ｂ）が開かないよう一時固定することができるよう構成してもよいものである。
【００１８】
前記一時固定ベルト（７）の、具体的な一例としては、ベルクロファスナーであって、一方の側面パネル（２ａ）（２ａ′）側に凸面側を取り付け、他方の側面パネル（２ｂ）（２ｂ′）側に凹面側を取り付け、着脱自在に構成してもよい。
【００１９】
尚、２枚組側面パネル（Ｙ）（Ｙ′）とパレット（１）との固定手段は、図４に示すように、該パレット（１）上の四周を取り囲むよう断面がコ字状のフレーム（８）を立設し、これらのフレームの各偶角部に、それぞれ、Ｌ字状の立ち上がり片（９）をそれぞれ設け、該立ち上がり片（９）の相対向する面に、それぞれ軸受（９ａ）を設け、前記２枚組側面パネル（Ｙ）（Ｙ′）のそれぞれ一の側面パネル（２ｂ′）（２ｂ）の下部両端に、それぞれ前記軸受（９ａ）に嵌挿する回動軸（１０）を突出して設けることにより、パレット（１）と各２枚組側面パネル（Ｙ）（Ｙ′）とを固定し、折り畳まれた２枚組側面パネル（Ｙ，Ｙ′）が、パレット（１）に対して、それぞれ倒・立可能となるよう固定されている。
【産業上の利用可能性】
【００２０】
この考案の、組み立て式のコンテナにおける側面パネルの折り畳み構造の技術を確立し、実施することにより、産業上利用可能性があるものである。
【符号の説明】
【００２１】
１  パレット
２ａ，２ａ′２ｂ，２ｂ′  側面パネル
３  蓋体
４  ヒンジ
５  凹溝体
５ａ  開口部
６  凸状柱体
７  一時固定ベルト
８  コ字状フレーム
９  立ち上がり片
９ａ  軸受
１０  回動軸
Ｘ  収納空間
Ｙ，Ｙ′２枚組側面パネル
【図１】
0003164698.tif 000003
【図２】
0003164698.tif 000004
【図３】
0003164698.tif 000005
【図４】
0003164698.tif 000006